(57)【特許請求の範囲】
【請求項１】
ユーザからＷｅｂページへのアクセス要求を受け付けるＷｅｂページアクセス要求受信部と、
Ｗｅｂページと該Ｗｅｂページに含まれる数値との対応関係に係る情報を保有するＷｅｂページ数値対応データベースと、
前記Ｗｅｂページ数値対応データベースを利用し、前記Ｗｅｂページアクセス要求受信部で受け付けたアクセス要求に係るＷｅｂページに含まれる数値に係る情報を取得する数値情報取得部と、
Ｗｅｂページに挿入すべきコンテンツに含まれる数値と一定の関係を有する数値に係る情報と、該コンテンツとの対応関係に係る情報を保有する挿入コンテンツデータベースと、
前記挿入コンテンツデータベースを利用し、前記数値情報取得部により取得された数値に係る情報に基づき決定される前記挿入コンテンツデータベースの検索のための数値に係る情報に基づき、前記Ｗｅｂページアクセス要求受信部で受け付けたアクセス要求に係るＷｅｂページに挿入すべきコンテンツに係る情報を取得する挿入コンテンツ取得部と、
前記挿入コンテンツ取得部により取得された情報に係るコンテンツを示す情報を前記Ｗｅｂページに挿入するＷｅｂページコンテンツ挿入部と、
前記Ｗｅｂページコンテンツ挿入部によりコンテンツを示す情報が挿入された前記Ｗｅｂページをユーザに送信するコンテンツ送信部と、
を備えるアンカリングナビゲーション広告サーバ。
【請求項２】
前記挿入コンテンツデータベースに保有する情報に係るＷｅｂページに挿入すべきコンテンツは、商品またはサービスに係る広告コンテンツであり、
前記挿入コンテンツデータベースに保有する情報に係るＷｅｂページに挿入すべきコンテンツに含まれる数値は、前記商品またはサービスの値段であることを特徴とする請求項１に記載のアンカリングナビゲーション広告サーバ。
【請求項３】
前記挿入コンテンツデータベースが保有する情報に係るＷｅｂページに挿入すべきコンテンツに含まれる数値と一定の関係を有する数値に係る情報は、前記商品またはサービスの値段より大きい数値に係る情報であり、
前記挿入コンテンツ取得部において、挿入コンテンツデータベースの検索のために用いる数値に係る情報は、前記数値情報取得部により取得された数値に係る情報と同一であることを特徴とする請求項２に記載のアンカリングナビゲーション広告サーバ。
【請求項４】
前記挿入コンテンツデータベースが保有する情報に係るＷｅｂページに挿入すべきコンテンツに含まれる数値と一定の関係を有する数値に係る情報は、前記商品またはサービスの値段と同じ数値に係る情報であり、
前記数値情報取得部により取得された数値に係る情報に基づき、該数値より小さい数値を挿入コンテンツデータベースの検索のために用いる数値に係る情報として決定する挿入コンテンツ検索数値決定部をさらに備えることを特徴とする請求項２に記載のアンカリングナビゲーション広告サーバ。
【請求項５】
前記コンテンツ送信部がユーザに送信したＷｅｂページに対してユーザが行った操作の結果を記録する操作結果記録部をさらに備え、
前記挿入コンテンツ検索数値決定部は、前記操作結果記録部により記録されたユーザが行った操作の結果に基づいて前記挿入コンテンツデータベースの検索のために用いる数値に係る情報を決定することを特徴とする請求項４に記載のアンカリングナビゲーション広告サーバ。
【請求項６】
前記Ｗｅｂページアクセス要求受信部が受け付けたアクセス要求に係るＷｅｂページは、ショッピングに係るＷｅｂページであり、
前記挿入コンテンツ取得部が取得する情報に係るＷｅｂページに挿入すべきコンテンツは、前記ショッピングに係る商品またはサービスに関連する商品またはサービスに係る広告コンテンツであることを特徴とする請求項２から請求項５のいずれかに記載のアンカリングナビゲーション広告サーバ。
【請求項７】
前記Ｗｅｂページアクセス要求受信部がユーザからアクセス要求を受け付けるＷｅｂページは、広告のＷｅｂページであり、
前記Ｗｅｂページに挿入すべきコンテンツは、ニュースに関するコンテンツであることを特徴とする請求項１に記載のアンカリングナビゲーション広告サーバ。
【請求項８】
前記挿入コンテンツデータベースが保有する情報に係るＷｅｂページに挿入すべきコンテンツに含まれる数値と一定の関係を有する数値に係る情報は、前記ニュースに関するコンテンツ含まれる数値より小さい数値に係る情報であり、
前記挿入コンテンツ取得部において、挿入コンテンツデータベースの検索のために用いる数値に係る情報は、前記数値情報取得部により取得された数値に係る情報と同一であることを特徴とする請求項７に記載のアンカリングナビゲーション広告サーバ。
【請求項９】
前記挿入コンテンツデータベースが保有する情報に係るＷｅｂページに挿入すべきコンテンツに含まれる数値と一定の関係を有する数値に係る情報は、前記コンテンツ含まれる数値と同じ数値に係る情報であり、
前記数値情報取得部により取得された数値に係る情報に基づき、該数値より大きい数値を挿入コンテンツデータベースの検索のために用いる数値に係る情報として決定する挿入コンテンツ検索数値決定部をさらに備えることを特徴とする請求項７に記載のアンカリングナビゲーション広告サーバ。
【請求項１０】
前記コンテンツ送信部がユーザに送信したＷｅｂページに対してユーザが行った操作の結果を記録する操作結果記録部をさらに備え、
前記挿入コンテンツ検索数値決定部は、前記操作結果記録部により記録されたユーザが行った操作の結果に基づいて前記挿入コンテンツデータベースの検索のために用いる数値に係る情報を決定することを特徴とする請求項９に記載のアンカリングナビゲーション広告サーバ。
【請求項１１】
インターネットに接続されたサーバにより広告を行う方法であって、
ユーザからＷｅｂページへのアクセス要求を受け付けるＷｅｂページアクセス要求受信ステップと、
Ｗｅｂページと該Ｗｅｂページに含まれる数値との対応関係に係る情報を保有するＷｅｂページ数値対応データベースを利用し、前記Ｗｅｂページアクセス要求受信ステップで受け付けたアクセス要求に係るＷｅｂページに含まれる数値に係る情報を取得する数値情報取得ステップと、
Ｗｅｂページに挿入すべきコンテンツに含まれる数値と一定の関係を有する数値に係る情報と、該コンテンツとの対応関係に係る情報を保有する挿入コンテンツデータベースを利用し、前記数値情報取得ステップにより取得された数値に係る情報に基づき決定される前記挿入コンテンツデータベースの検索のための数値に係る情報に基づき、前記Ｗｅｂページアクセス要求受信ステップで受け付けたアクセス要求に係るＷｅｂページに挿入すべきコンテンツに係る情報を取得する挿入コンテンツ取得ステップと、
前記挿入コンテンツ取得ステップにより取得された情報に係るコンテンツを示す情報を前記Ｗｅｂページに挿入するＷｅｂページコンテンツ挿入ステップと、
前記Ｗｅｂページコンテンツ挿入ステップによりコンテンツを示す情報が挿入された前記Ｗｅｂページをユーザに送信するコンテンツ送信ステップと、
を備えるアンカリングナビゲーション広告方法。
【発明の詳細な説明】
【技術分野】
【０００１】
本発明は、アンカリングナビゲーション広告サーバ及びアンカリングナビゲーション広告方法に関する。
【背景技術】
【０００２】
インターネットにおける広告の閲覧度を増加させる試みとして様々なものが提案されている。例えば、懸賞制度を予め設定し、バナー広告にリンクしたＷｅｂサイトにアクセスした者が、その懸賞制度にエントリーできるようにする例が報告されている（例えば特許文献１）。また、会員に対して送信されたデータ量に応じて現金または物品を会員に提供する例が報告されている（例えば特許文献２）。また、コンテンツを閲覧するために、バナー広告をクリックすることによってポイントを得なければならないようにする例が報告されている（例えば特許文献３）。
【特許文献１】特開２００２−２４５３２１号公報
【特許文献２】特開２００２−０６３３３３号公報
【特許文献３】特開２００２−０５６２８９号公報
【発明の開示】
【発明が解決しようとする課題】
【０００３】
これらはいずれも、特典を与えて広告を閲覧させるものであり、広告閲覧機会を増やす有力な方法であるが、いわば、特典で釣るという範疇に属するものであり、特典を与えるための費用がかかることもありえる。一方、特典で釣るというような方法ではなく、利用者が自発的に広告を見たいと思わせることができれば、単に閲覧機会を増やすだけでなく、商品の購入等に至る可能性が高くなると考えられる。
【０００４】
そこで、本発明は、利用者がＷｅｂページを閲覧するときに、Ｗｅｂページに含まれる数値が利用者に与える心理的影響を活用し、広告を閲覧しさらに商品またはサービス（以下、商品等という）の購入を行う動機を惹起させる広告サーバ及び広告方法を提供することを目的とする。また、同様の仕組みを活かし、利用者がＷｅｂページで広告閲覧中に、商品購入動機を惹起させる情報を表示するアンカリングナビゲーション広告サーバ及びアンカリングナビゲーション広告方法を提供することを目的とする。
【課題を解決するための手段】
【０００５】
本発明者は、人が判断を行うときに、基準となる情報に基づいて判断が行われ、したがって、基準となる情報を変えれば、判断の結果も異なる傾向がある、いわゆるアンカリング効果を、インターネットにおける広告に活かせることを見出し、本発明を完成するに至った。本発明は、具体的には次のようなものを提供する。
【０００６】
（１）ユーザからＷｅｂページへのアクセス要求を受け付けるＷｅｂページアクセス要求受信部と、
Ｗｅｂページと該Ｗｅｂページに含まれる数値との対応関係に係る情報を保有するＷｅｂページ数値対応データベースと、
前記Ｗｅｂページ数値対応データベースを利用し、前記Ｗｅｂページアクセス要求受信部で受け付けたアクセス要求に係るＷｅｂページに含まれる数値に係る情報を取得する数値情報取得部と、
Ｗｅｂページに挿入すべきコンテンツに含まれる数値と一定の関係を有する数値に係る情報と、該コンテンツとの対応関係に係る情報を保有する挿入コンテンツデータベースと、
前記挿入コンテンツデータベースを利用し、前記数値情報取得部により取得された数値に係る情報に基づき決定される前記挿入コンテンツデータベースの検索のための数値に係る情報に基づき、前記Ｗｅｂページアクセス要求受信部で受け付けたアクセス要求に係るＷｅｂページに挿入すべきコンテンツに係る情報を取得する挿入コンテンツ取得部と、
前記挿入コンテンツ取得部により取得された情報に係るコンテンツを示す情報を前記Ｗｅｂページに挿入するＷｅｂページコンテンツ挿入部と、
前記Ｗｅｂページコンテンツ挿入部によりコンテンツを示す情報が挿入された前記Ｗｅｂページをユーザに送信するコンテンツ送信部と、
を備えるアンカリングナビゲーション広告サーバ。
【０００７】
この発明によれば、Ｗｅｂページと当該Ｗｅｂページに含まれる数値との対応関係を示すＷｅｂページ数値対応データベースと、数値をキーとしてＷｅｂページに挿入すべきコンテンツを取得するための挿入コンテンツデータベースの、予め作成した２つのデータベースを利用し、ユーザからのアクセス要求があったＷｅｂページに含まれる数値に係る情報を取得し、これに基づき、そのＷｅｂページに挿入すべきコンテンツに係る情報を取得してコンテンツをＷｅｂページに挿入した上、ユーザに送信するので、ユーザがアクセスしようとするＷｅｂページに数値上の関連のあるコンテンツを処理時間の遅延なく効率的に挿入してユーザに送信することができる。
【０００８】
（２）前記挿入コンテンツデータベースに保有する情報に係るＷｅｂページに挿入すべきコンテンツは、商品またはサービスに係る広告コンテンツであり、
前記挿入コンテンツデータベースに保有する情報に係るＷｅｂページに挿入すべきコンテンツに含まれる数値は、前記商品またはサービスの値段であることを特徴とする（１）に記載のアンカリングナビゲーション広告サーバ。
【０００９】
この発明によれば、（１）の発明において、ユーザがＷｅｂページにアクセスするときに、そのＷｅｂページに数値上の影響力が見込める広告コンテンツを挿入することができるので、効果的な広告機会を作り出すことができる。
【００１０】
（３）前記挿入コンテンツデータベースが保有する情報に係るＷｅｂページに挿入すべきコンテンツに含まれる数値と一定の関係を有する数値に係る情報は、前記商品またはサービスの値段より大きい数値に係る情報であり、
前記挿入コンテンツ取得部において、挿入コンテンツデータベースの検索のために用いる数値に係る情報は、前記数値情報取得部により取得された数値に係る情報と同一であることを特徴とする（２）に記載のアンカリングナビゲーション広告サーバ。
【００１１】
この発明によれば、（２）の発明において、挿入コンテンツデータベースが商品等の値段より大きい数値をキーとして作成されているので、ユーザがアクセスしようとするＷｅｂページに含まれる数値と同一の数値によりデータベース検索すると、その数値より小さい数値を値段とする商品等が得られ、ユーザが見るＷｅｂページに、数値的に小さい値段の商品等の広告が挿入することができるので、アンカリング効果によりその商品等の購入機会を増やすことが期待できる。
【００１２】
（４）前記挿入コンテンツデータベースが保有する情報に係るＷｅｂページに挿入すべきコンテンツに含まれる数値と一定の関係を有する数値に係る情報は、前記商品またはサービスの値段と同じ数値に係る情報であり、
前記数値情報取得部により取得された数値に係る情報に基づき、該数値より小さい数値を挿入コンテンツデータベースの検索のために用いる数値に係る情報として決定する挿入コンテンツ検索数値決定部をさらに備えることを特徴とする（２）に記載のアンカリングナビゲーション広告サーバ。
【００１３】
この発明によれば、（２）の発明において、ユーザがアクセスするＷｅｂページに含まれる数値より小さい数値を、挿入コンテンツデータベースの検索のために用いる数値に係る情報として決定して、その値段の商品等を選ぶことができるので、状況に応じてダイナミックに、アンカリング効果のある商品等の広告を挿入することができる。
【００１４】
（５）前記コンテンツ送信部がユーザに送信したＷｅｂページに対してユーザが行った操作の結果を記録する操作結果記録部をさらに備え、
前記挿入コンテンツ検索数値決定部は、前記操作結果記録部により記録されたユーザが行った操作の結果に基づいて前記挿入コンテンツデータベースの検索のために用いる数値に係る情報を決定することを特徴とする（４）に記載のアンカリングナビゲーション広告サーバ。
【００１５】
この発明によれば、（４）の発明において、広告を挿入したＷｅｂページに対してユーザが行った操作結果を記録し、その結果に基づいてその後の広告の対象とする商品の値段を決定できるので、よりアンカリング効果の強い広告をＷｅｂページに挿入することができる。
【００１６】
（６）前記Ｗｅｂページアクセス要求受信部が受け付けたアクセス要求に係るＷｅｂページは、ショッピングに係るＷｅｂページであり、
前記挿入コンテンツ取得部が取得する情報に係るＷｅｂページに挿入すべきコンテンツは、前記ショッピングに係る商品等に関連する商品等に係る広告コンテンツであることを特徴とする（２）から（５）のいずれかに記載のアンカリングナビゲーション広告サーバ。
【００１７】
この発明によれば、ユーザがショッピングに係るＷｅｂページにアクセスするときに、ショッピングに係る商品等と関連性のある商品等の広告を併せて表示するので、広告に係る商品等の購入の成約可能性を一層高めることができる。
【００１８】
（７）前記Ｗｅｂページアクセス要求受信部がユーザからアクセス要求を受け付けるＷｅｂページは、広告のＷｅｂページであり、
前記Ｗｅｂページに挿入すべきコンテンツは、ニュースに関するコンテンツであることを特徴とする（１）に記載のアンカリングナビゲーション広告サーバ。
【００１９】
この発明によれば、（１）の発明において、ユーザが広告のＷｅｂページにアクセスするときに、数値上の影響力が見込めるニュースに関するコンテンツを挿入することで、ニュースに含まれる数値によるアンカリング効果で広告に係る商品等の購入可能性を高めることができる。
【００２０】
（８）前記挿入コンテンツデータベースが保有する情報に係るＷｅｂページに挿入すべきコンテンツに含まれる数値と一定の関係を有する数値に係る情報は、前記ニュースに関するコンテンツ含まれる数値より小さい数値に係る情報であり、
前記挿入コンテンツ取得部において、挿入コンテンツデータベースの検索のために用いる数値に係る情報は、前記数値情報取得部により取得された数値に係る情報と同一であることを特徴とする（７）に記載のアンカリングナビゲーション広告サーバ。
【００２１】
この発明によれば、（７）の発明において、挿入コンテンツデータベースがニュースに含まれる数値より小さい数値をキーとして作成されているので、ユーザがアクセスしようとする広告のＷｅｂページに含まれる商品等の値段と同一の数値によりデータベース検索すると、その数値より大きい数値を含むニュースのコンテンツが得られ、ユーザが見る広告のＷｅｂページに、商品等の値段より大きい数値を含むニュースのコンテンツが挿入されるので、アンカリング効果によりその広告の商品等の購入機会を増やすことが期待できる。
【００２２】
（９）前記挿入コンテンツデータベースが保有する情報に係るＷｅｂページに挿入すべきコンテンツに含まれる数値と一定の関係を有する数値に係る情報は、前記コンテンツ含まれる数値と同じ数値に係る情報であり、
前記数値情報取得部により取得された数値に係る情報に基づき、該数値より大きい数値を挿入コンテンツデータベースの検索のために用いる数値に係る情報として決定する挿入コンテンツ検索数値決定部をさらに備えることを特徴とする（７）に記載のアンカリングナビゲーション広告サーバ。
【００２３】
この発明によれば、（７）の発明において、ユーザがアクセスする広告のＷｅｂページに含まれる商品等の値段より大きい数値を、挿入コンテンツデータベースの検索のために用いる数値に係る情報として決定して、その数値を含むニュースのコンテンツを選ぶことができるので、状況に応じてダイナミックに、アンカリング効果のあるニュースのコンテンツを挿入することができる。
【００２４】
（１０）前記コンテンツ送信部がユーザに送信したＷｅｂページに対してユーザが行った操作の結果を記録する操作結果記録部をさらに備え、
前記ニ挿入コンテンツ検索数値決定部は、前記操作結果記録部により記録されたユーザが行った操作の結果に基づいて前記挿入コンテンツデータベースの検索のために用いる数値に係る情報を決定することを特徴とする（９）に記載のアンカリングナビゲーション広告サーバ。
【００２５】
この発明によれば、（９）の発明において、ニュースのコンテンツを挿入した広告のＷｅｂページに対してユーザが行った操作結果を記録し、その結果に基づいてその後のニュースのコンテンツを選ぶ際の基準となる数値を決定できるので、よりアンカリング効果の強いニュースのコンテンツをＷｅｂページに挿入することができる。
【００２６】
（１１）インターネットに接続されたサーバにより広告を行う方法であって、
ユーザからＷｅｂページへのアクセス要求を受け付けるＷｅｂページアクセス要求受信ステップと、
Ｗｅｂページと該Ｗｅｂページに含まれる数値との対応関係に係る情報を保有するＷｅｂページ数値対応データベースを利用し、前記Ｗｅｂページアクセス要求受信ステップで受け付けたアクセス要求に係るＷｅｂページに含まれる数値に係る情報を取得する数値情報取得ステップと、
Ｗｅｂページに挿入すべきコンテンツに含まれる数値と一定の関係を有する数値に係る情報と、該コンテンツとの対応関係に係る情報を保有する挿入コンテンツデータベースを利用し、前記数値情報取得ステップにより取得された数値に係る情報に基づき決定される前記挿入コンテンツデータベースの検索のための数値に係る情報に基づき、前記Ｗｅｂページアクセス要求受信ステップで受け付けたアクセス要求に係るＷｅｂページに挿入すべきコンテンツに係る情報を取得する挿入コンテンツ取得ステップと、
前記挿入コンテンツ取得ステップにより取得された情報に係るコンテンツを示す情報を前記Ｗｅｂページに挿入するＷｅｂページコンテンツ挿入ステップと、
前記Ｗｅｂページコンテンツ挿入ステップによりコンテンツを示す情報が挿入された前記Ｗｅｂページをユーザに送信するコンテンツ送信ステップと、
を備えるアンカリングナビゲーション広告方法。
【００２７】
この発明によれば、（１）に記載の発明が行う処理をサーバを用いて行うので、（１）に記載の発明と同様の効果を発揮することができる。
【発明の効果】
【００２８】
この発明によれば、ユーザからのアクセス要求があったＷｅｂページに含まれる数値に基づき、影響力が見込める数値を含むコンテンツを取得して挿入するので、数値のアンカリング効果により、インターネットを利用した新たな取引機会を作り出すことができる。
【発明を実施するための最良の形態】
【００２９】
以下、本発明を実施するための最良の形態について図を参照しながら説明する。なお、これはあくまでも一例であって、本発明の技術的範囲はこれに限られるものではない。
（第１の実施形態）
【００３０】
［全体図］
図１は、アンカリングナビゲーション広告サーバ１の機能構成を示す図である。同サーバ１は、Ｗｅｂページアクセス要求受信部２と、Ｗｅｂページ数値対応データベース３と、数値情報取得部４と、挿入コンテンツデータベース６と、挿入コンテンツ取得部７と、Ｗｅｂページコンテンツ挿入部８と、コンテンツ送信部９とから構成される。
【００３１】
Ｗｅｂページアクセス要求受信部２は、ユーザから各種のＷｅｂページの閲覧要求を受け取る部分である。その中には、商品等のショッピングに係るＷｅｂページも含まれる。
【００３２】
Ｗｅｂページ数値対応データベース３は、ユーザからアクセス可能なＷｅｂページに含まれる数値とそのＷｅｂページのＵＲＬとの対応関係を保有するテーブルであって、クローリング等の手法により予め作成される。インターネットでの商品販売を希望する者との契約等に基づき作成してもよい。
【００３３】
数値情報取得部４は、Ｗｅｂページアクセス要求受信部２で受け取ったＷｅｂページへのアクセス要求に基づいて、当該Ｗｅｂページに含まれる数値情報を取得する部分である。当該Ｗｅｂページに含まれる数値情報は、Ｗｅｂページのアクセス要求のあったときに、当該Ｗｅｂページを分析して、そのＷｅｂページに含まれる数値を取得することもできるが、本発明においては、予め作成されているＷｅｂページ数値対応データベース３を用いてテーブル検索により取得する。その結果、都度分析する場合と比べ、処理が効率的となる。
【００３４】
挿入コンテンツデータベース６は、Ｗｅｂページに挿入すべきコンテンツに含まれる数値とそのコンテンツとの対応関係を保有するテーブルであって、Ｗｅｂページ数値対応データベース３と同様、クローリングや契約内容等に基づいて予め作成される。
【００３５】
挿入コンテンツ取得部７は、数値情報取得部４により取得された数値情報に基づき決定される数値情報を検索キーとして、挿入コンテンツデータベース６を検索することでＷｅｂページに挿入すべきコンテンツを取得する。本実施形態においては、挿入コンテンツデータベース６を検索するときに用いる数値情報は、数値情報取得部４により取得された数値情報と同一であるとする。
【００３６】
Ｗｅｂページコンテンツ挿入部８は、挿入コンテンツ取得部７で取得したコンテンツを、Ｗｅｂページアクセス要求受信部２で受け付けたＷｅｂページに挿入する。具体的には、そのコンテンツへのリンクを埋め込む。
【００３７】
コンテンツ送信部９は、Ｗｅｂページコンテンツ挿入部８でコンテンツが挿入されたＷｅｂページをユーザのパソコンに送信する。
【００３８】
［アンカリングナビゲーション広告サーバ１のハードウェア構成］
図２は、本実施形態に係るアンカリングナビゲーション広告サーバ１のハードウェア構成を示す図である。アンカリングナビゲーション広告サーバ１は、制御装置３０を構成するＣＰＵ（Ｃｅｎｔｒａｌ  Ｐｒｏｃｅｓｓｉｎｇ  Ｕｎｉｔ）３１（マルチプロセッサ構成ではＣＰＵ３２等複数のＣＰＵが追加されてもよい）、バスライン２０、通信Ｉ／Ｆ（Ｉ／Ｆ：インターフェイス）３３、メインメモリ３４、ＢＩＯＳ（Ｂａｓｉｃ  Ｉｎｐｕｔ  Ｏｕｔｐｕｔ  Ｓｙｓｔｅｍ）３５、表示装置３６、Ｉ／Ｏコントローラ３７、並びにキーボード及びマウス等の入力装置３８を備える。
【００３９】
制御装置３０は、アンカリングナビゲーション広告サーバ１を統括的に制御するための装置であり、ハードディスク３９（後述）に記憶された各種プログラムを適宜読み出して実行することにより、上述したハードウェアと協働し、本発明に係る各種機能を実現している。
【００４０】
通信Ｉ／Ｆ３３は、アンカリングナビゲーション広告サーバ１が、インターネット（図示せず）を介してユーザからＷｅｂページのアクセス要求を受ける際及びユーザに広告内容等が挿入されたＷｅｂページを送信する際に使用するネットワーク・アダプタである。通信Ｉ／Ｆ３３は、モデム、ケーブル・モデム及びイーサネット（登録商標）・アダプタを含んでよい。
【００４１】
ＢＩＯＳ３５は、アンカリングナビゲーション広告サーバ１の起動時にＣＰＵ３１が実行するブートプログラムや、アンカリングナビゲーション広告サーバ１のハードウェアに依存するプログラム等を記録する。
【００４２】
表示装置３６は、アンカリングナビゲーション広告サーバ１による演算処理結果等の画面を表示するものであり、ブラウン管表示装置（ＣＲＴ）、液晶表示装置（ＬＣＤ）等のディスプレイ装置を含む。
【００４３】
Ｉ／Ｏコントローラ３７には、ハードディスク３９、及び半導体メモリ４０等の記憶装置４１を接続することができる。
【００４４】
入力装置３８は、アンカリングナビゲーション広告サーバ１の管理者による入力の受け付けを行うものである。
【００４５】
ハードディスク３９は、本ハードウェアをアンカリングナビゲーション広告サーバ１として機能させるための各種プログラム、本発明の機能を実行するプログラム及び後述するテーブルを記憶する。
【００４６】
以上の例は、アンカリングナビゲーション広告サーバ１のハードウェア構成について主に説明したが、コンピュータに、プログラムをインストールして、そのコンピュータをアンカリングナビゲーション広告サーバ１として動作させることにより上記で説明した機能を実現することもできる。したがって、本発明において一実施形態として説明したアンカリングナビゲーション広告サーバ１により実現される機能は、上述の方法を当該コンピュータにより実行することによって、あるいは、上述のプログラムを当該コンピュータに導入して実行することによっても実現可能である。
【００４７】
なお、本発明でいうコンピュータとは、記憶装置、制御装置等を備えた情報処理装置をいい、アンカリングナビゲーション広告サーバ１は、記憶装置４１、制御装置３０等を備えた情報処理装置により構成され、この情報処理装置は、本発明のコンピュータの概念に含まれる。ここで、図１に示した、Ｗｅｂページアクセス要求受信部２と、数値情報取得部４と、挿入コンテンツ取得部７と、Ｗｅｂページコンテンツ挿入部８と、コンテンツ送信部９には主として制御装置３０が、Ｗｅｂページ数値対応データベース３と、挿入コンテンツデータベース６には主として記憶装置４１が、それぞれ対応する。
【００４８】
［インデックスデータベース］
図３は、数値インデックスデータベースを示す図である。一般のＷｅｂページに含まれる数値の属するレンジ（範囲）とそのＷｅｂページのＵＲＬ（ＷｅｂページＵＲＬ）が保有されている。数値インデックスデータベースはＷｅｂページ数値対応データベース３の１つであり、クローリングにより自動収集されたＷｅｂページから抽出して登録される。
【００４９】
図４は、広告インデックスデータベースを示す図である。広告の対象となる商品等の値段と一定の関係を有する数値のレンジ（範囲）と当該広告を識別する広告ＩＤと当該広告のＵＲＬ（広告ＵＲＬ）とジャンルコードが保有されている。
【００５０】
このデータベースは、ユーザがアクセスするＷｅｂページに含まれる数値の数値レンジをキーとして、その数値より小さい値段の商品等の広告を取得するためのものであるので、値段と一定の関係を有する数値のレンジ（範囲）とは、値段を表す数値より一般的に大きい数値レンジである。例えば、数値レンジが３，０００〜５，０００に対しては値段が２，０００円等の商品の広告が保有されている。保有の対象となるそのＷｅｂページに挿入すべき広告は、予め広告表示を契約しているもの等、適宜決めればよい。
【００５１】
ジャンルコードは、広告対象の商品等のジャンルを分類したコードである。広告すべき商等品のジャンルを判定するために用いる。
【００５２】
［Ｗｅｂページの要求時の処理フロー］
図５に基づいてＷｅｂページの要求時の処理フローについて説明する。アンカリングナビゲーション広告サーバ１は、ユーザからＷｅｂページの要求を受け取る（Ｓ１０）と、数値インデックスデータベース（図３）を検索して、当該Ｗｅｂページに含まれる数値の数値レンジを取得する（Ｓ２０）。すなわち、アンカリングナビゲーション広告サーバ１の制御装置３０は、Ｗｅｂページアクセス要求受信部２と、数値情報取得部４として機能する。また、数値インデックスデータベース（図３）はＷｅｂページ数値対応データベース３として機能する。
【００５３】
次に、取得した数値レンジに基づき、広告インデックスデータベース（図４）を検索して、当該Ｗｅｂページに挿入すべき広告コンテンツを取得する（Ｓ３０）。具体的には、当該広告を表示する情報のＵＲＬ（広告ＵＲＬ）を取得する。すなわち、アンカリングナビゲーション広告サーバ１の制御装置３０は、挿入コンテンツ取得部７として機能する。また、広告インデックスデータベース（図４）は挿入コンテンツデータベース６として機能する。
【００５４】
そして、取得した広告ＵＲＬを当該Ｗｅｂページに挿入する（Ｓ４０）。すなわち、アンカリングナビゲーション広告サーバ１の制御装置３０は、Ｗｅｂページコンテンツ挿入部８として機能する。
【００５５】
次に、広告ＵＲＬが挿入されたＷｅｂページをユーザのパソコンに送信する（Ｓ５０）。すなわち、アンカリングナビゲーション広告サーバ１の制御装置３０は、コンテンツ送信部９として機能する。
【００５６】
（第２の実施形態）
第２の実施形態では、ユーザがアクセス要求したＷｅｂページがショッピングに係るＷｅｂページである場合について説明する。基本的には、第１の実施形態と同様であるので、異なる点のみ説明する。なお、以下の説明及び図面において、前述した第１の実施形態と同様の機能を果たす部分には、同一の符号を付して、重複する説明を適宜省略する。
【００５７】
［インデックスデータベース］
図６は、値段インデックスデータベースを示す図である。商品等の値段の属するレンジ（範囲）と当該商品等のショッピングに係るＵＲＬ（商品ＵＲＬ）と当該商品等の属するジャンルコードが保有されている。保有する対象商品等としては、ショッピングの対象として予め契約等により定められた商品等である。ジャンルコードは、当該商品等のショッピングの際、関連する商品等の広告を表示するために、商品等のジャンルを分類したコードである。値段インデックスデータベースはＷｅｂページ数値対応データベース３の１つである。本実施形態においては、数値インデックスデータベース（図３）に代わり値段インデックスデータベースを使用する。
【００５８】
［関連ジャンルテーブル］
図７は、関連ジャンルテーブルを示す図である。ユーザからショッピング要求があったときに、ショッピングの対象となる商品等に関連する商品等の広告を表示するために、ショッピング要求された商品等と関連する商品等のジャンルを対応付けたテーブルである。ショッピング要求された商品等のジャンル１つにつき、４個の関連ジャンルが保有されている。
【００５９】
［ショッピングに係るＷｅｂページの要求時の処理フロー］
図８に基づいてショッピングに係るＷｅｂページの要求時の処理フローについて説明する。アンカリングナビゲーション広告サーバ１は、ユーザからＷｅｂページの要求を受け取る（Ｓ１０）と、値段インデックスデータベース（図６）を検索して、当該ショッピングに係る商品等の値段の数値レンジを取得する（Ｓ２１）。
【００６０】
次に、取得した数値レンジに基づき、広告インデックスデータベース（図４）を検索して、当該Ｗｅｂページに挿入すべき広告コンテンツを取得する（Ｓ３０）。具体的には、当該広告を表示する情報のＵＲＬ（広告ＵＲＬ）を取得する。
【００６１】
ここで、複数の広告コンテンツが存在する場合は、ユーザがアクセス要求したショッピングに係る商品等と関連性のある商品等の広告を選ぶ。商品等の関連性は、関連ジャンルテーブル（図７）を利用して判定する。
【００６２】
そして、取得した広告ＵＲＬを当該ショッピングのＷｅｂページに挿入する（Ｓ４１）。
【００６３】
次に、広告ＵＲＬが挿入されたショッピングのＷｅｂページをユーザのパソコンに送信する（Ｓ５１）。
【００６４】
この実施形態においては、ユーザがショッピングのＷｅｂページにアクセスするときに、ショッピングに係る商品等の値段より安い値段の商品等の広告が、商品間の関連性を考慮して挿入して送信されるので、広告に係る商品等も併せて購入される機会を増やすことができる。
【００６５】
（第３の実施形態）
前述の実施形態においては、数値情報取得部４で取得した数値情報をそのまま用いて広告インデックスデータベース（図４）の検索を行ったが、本実施形態においては、数値情報取得部４で取得した数値情報に基づいて、検索用の数値情報を新たに決定して、広告インデックスデータベースの検索を行う。そのため、前述の実施形態では、広告インデックスデータベース作成の際に、広告に係る商品等の値段より大きい数値を検索のための数値情報として設定したが、本実施形態では、そのような配慮は行わず、広告に係る商品等の値段そのものを検索のための数値情報としている。
［全体図］
図９は、アンカリングナビゲーション広告サーバ１の機能構成を示す図である。同サーバ１は、Ｗｅｂページアクセス要求受信部２と、Ｗｅｂページ数値対応データベース３と、数値情報取得部４と、挿入コンテンツ検索数値決定部５と、挿入コンテンツデータベース６と、挿入コンテンツ取得部７と、Ｗｅｂページコンテンツ挿入部８と、コンテンツ送信部９と、操作結果記録部１０とから構成される。このうち、第１の実施形態と異なる点は、挿入コンテンツ検索数値決定部５と操作結果記録部１０である。
【００６６】
挿入コンテンツ検索数値決定部５は、数値情報取得部４で取得した数値情報に基づいて、広告コンテンツを挿入すべき商品等の値段を決定する部分である。上述したとおり、本実施形態では、挿入コンテンツデータベース６は、広告に係る商品等の値段をそのまま検索キーして保有するので、検索キーの決定において適切なキーを決定するための挿入コンテンツ検索数値決定部５を設ける。
【００６７】
具体的には、数値情報取得部４により当該Ｗｅｂページに含まれる数値情報が取得されると、その数値情報より小さい数値を挿入コンテンツデータベース６の検索用に決定する。そのような数値は本来無数にあるが、簡便には、数値情報に所定比率を乗じて計算してもよい。例えば、所定比率を０．８として、数値情報が１０，０００であれば、検索用の数値情報を８，０００と決定する等である。しかし、広告の閲覧効果を上げるためには、０．８が必ずしも最適であるとは限らず、別の決め方もありえる。そこで、本実施形態においては、広告閲覧効果を反映しながらその決定方法を最適化していくという方法をとる。この方法については、後述する。
【００６８】
操作結果記録部１０は、ユーザがＷｅｂページの中に挿入して表示された広告コンテンツを見てその部分をクリックする等の反応した場合は、その結果を挿入広告ヒット率テーブル（図１２）に記録する。そして、この結果が、挿入コンテンツ検索数値決定部５において挿入コンテンツデータベース６の検索キーの決定に反映される。
【００６９】
［アンカリングナビゲーション広告サーバ１のハードウェア構成］
アンカリングナビゲーション広告サーバ１のハードウェア構成は、第１の実施形態と同様であるが、図９に示した、挿入コンテンツ検索数値決定部５と操作結果記録部１０には主として制御装置３０がそれぞれ対応する。
【００７０】
［インデックスデータベース］
図１０は、本実施形態における数値インデックスデータベースを示す図である。図３と異なる点は、数値の欄がレンジではなく単独の数値となっている点である。これは、Ｗｅｂページに含まれる１つの数値とそのＷｅｂページを対応付けることを意味し、この数値に所定の比率を乗ずることにより検索用の数値（値段）を得るためであり、後述する広告インデックスデータベース（図１１）との関係で意味を持つ。この数値は、記述のとおり、クローリングにより収集抽出されるが、Ｗｅｂページに複数個の数値が含まれているときは、そのうちの最大の数値を用いることとする。
【００７１】
図１１は、本実施形態における広告インデックスデータベースを示す図である。図４と異なる点は、図１０と同様、値段の欄がレンジではなく単独の値段となっている点である。これは、広告に係る商品等の値段を直接、検索キーとして用いるためで、検索すべき値段の決定を細かく行う本実施形態の目的に合わせるためである。
【００７２】
［ヒット率テーブル］
図１２は、挿入広告ヒット率テーブルを示す図である。ユーザからＷｅｂページへのアクセス要求があったときに、当該Ｗｅｂページに含まれる数値（値段も含む）より数値的に小さい値段の商品等の広告を挿入して表示すれば、Ｗｅｂページに含まれる数値のアンカリング効果により、ユーザは広告に係る商品等の値段が高いという感覚が薄れ、購入に至る可能性が高まる効果が期待できるが、どの程度「小さい値段」を表示すれば効果的であるかは試行錯誤をしてみなければわからないという要素も大きい。そこで、いろいろな比率の中から、ユーザの反応結果を反映して、より効果のある比率を見つけていくという操作をすることが望ましい。本テーブルは、そのためのテーブルである。
【００７３】
比率は、「小さい値段」を計算するため、０．９からスタートし、０．８、０．７、・・・と順次小さくなるように並んでいる。そして、各比率について、広告表示した全体件数と、そのうちユーザが広告に反応したヒット件数をカウントし、後者を前者で割った絶対ヒット率を求める。そして絶対ヒット率の比率を表す相対ヒット率を求める。相対ヒット率は、絶対ヒット率を、絶対ヒット率の合計で割ったものである。したがって、相対ヒット率を合計すると１となる。当然、絶対ヒット率はばらつくので、そのうち最も高い絶対ヒット率の比率（例えば、この場合は、比率０．５）を常に用いることとしてもよいが、ユーザによるばらつきも考慮すると、絶対ヒット率の分布に応じて用いる数値（値段）の比率も分布させるように決めた方が、合理的だと考えられる。そこで、相対ヒット率に基づいて、各比率の数値（値段）を用いる回数が分布するようにする。
【００７４】
図１２によれば、比率０．５の相対ヒット率は０．２７３なので、表示回数のうち２７．３％は比率０．５となるようにする。しかし、比率０．９も、相対ヒット率が０ではない（０．０５５である）ので、表示回数のうち５．５％は比率０．９を用いる。
【００７５】
このようにすれば、絶対ヒット率の高い比率が用いられることが多くなるが、他の比率が用いられることも皆無ではなく、他の比率に反応しやすいユーザにも対応することができる。また、時代環境とともに絶対ヒット率が変化していくような場合にも、適切に順応することができる。なお、比率の区分は、０．９から０．１刻みとしたが、それより粗くても、また細かくてもよい。
【００７６】
［Ｗｅｂページの要求時の処理フロー］
図１３に基づいてＷｅｂページの要求時の処理フローについて説明する。アンカリングナビゲーション広告サーバ１は、ユーザからＷｅｂページの要求を受け取る（Ｓ１０）と、数値インデックスデータベース（図１０）を参照して、当該Ｗｅｂページに含まれる数値を取得する（Ｓ２２）。
【００７７】
次に、取得した数値に基づき、挿入広告ヒット率テーブル（図１２）に基づき適用すべき比率を求め、検索用の値段を決定する（Ｓ２３）。そして、決定した比率の全体件数に１を加算する（Ｓ２４）。すなわち、アンカリングナビゲーション広告サーバ１の制御装置３０は、挿入コンテンツ検索数値決定部５として機能する。
【００７８】
次に、決定した値段に基づき、広告インデックスデータベース（図１１）を参照して、広告ＵＲＬを取得する（Ｓ３１）。そして、取得した広告ＵＲＬを当該Ｗｅｂページに挿入する（Ｓ４０）。次に、広告ＵＲＬが挿入されたＷｅｂページをユーザのパソコンに送信する（Ｓ５０）。
【００７９】
次に、ユーザのパソコン画面に表示されたＷｅｂページ内の広告コンテンツがユーザにクリックされたときは、挿入広告ヒット率テーブル（図１２）の当該比率のヒット件数に１を加算し、絶対ヒット率及び相対ヒット率を計算する。そしてその結果を挿入広告ヒット率テーブル（図１２）に記録する（Ｓ６０）。すなわち、アンカリングナビゲーション広告サーバ１の制御装置３０と記憶装置４１は、操作結果記録部１０として機能する。
【００８０】
（第４の実施形態）
上述の実施形態では、ユーザがアクセス要求したＷｅｂページ（ショッピングのＷｅｂページも含む）に含まれる数値より数値的に小さい値段の商品等の広告コンテンツを当該Ｗｅｂページに挿入し、アンカリング効果により広告に係る商品等の購入機会の増加につなげることを目的とした。
【００８１】
しかし、本実施形態では、ユーザが広告のＷｅｂページにアクセス要求するときに、その広告に係る商品等の値段より数値的に大きい数値を含むニュースを当該Ｗｅｂページに挿入して、その数値によるアンカリング効果により、ユーザがアクセス要求している広告に係る商品等の購入機会を増加させることを目的とする。  
【００８２】
［全体図］
全体図については、第１の実施形態の全体図（図１）と同様であるので説明を省略する。
【００８３】
［インデックスデータベース］
図１４は、本実施形態におけるニュースインデックスデータベースを示す図である。ニュースインデックスデータベースは、挿入コンテンツデータベース６の１つである。値段レンジとニュースＵＲＬの対応関係が保有されているが、これは、例えば、値段レンジが２，０００〜３，０００に該当する商品等の広告のＷｅｂページに挿入すべきニュースコンテンツのＵＲＬを示したもので、当該ＵＲＬのニュースコンテンツには値段レンジを上回る数値、例えば「１０，０００人」等の数値情報が含まれている。このニュースインデックスデータベースは、予めクローリング手法により、ニュースコンテンツを収集し、その中に含まれる数値情報を抽出して、その数値情報に応じて、どのような値段レンジの広告に対して当該ニュースを挿入コンテンツとして利用すべきかを判断して予め作成しておく。
【００８４】
［広告のＷｅｂページの要求時の処理フロー］
図１５に基づいて広告のＷｅｂページの要求時の処理フローについて説明する。アンカリングナビゲーション広告サーバ１が、ユーザから広告のＷｅｂページの要求を受け取った場合（Ｓ１１０）は、広告の対象商品等の値段より大きい数値を含むニュースを同時に表示して、当該広告に係る商品等の購入成立を促進する処理を行う。
【００８５】
最初に、広告インデックスデータベース（図４）を参照して、広告の対象商品等の値段レンジ（数値レンジ）を取得する（Ｓ１２０）。次に、取得した値段レンジを検索キーとしてニュースインデックスデータベース（図１４）を検索し、当該広告のＷｅｂページに挿入すべきニュースコンテンツのＵＲＬを取得する（Ｓ１３０）。そして、取得したＵＲＬを当該広告のＷｅｂページに挿入する（Ｓ１４０）。次に、そのニュースＵＲＬが挿入された広告のＷｅｂページをユーザのパソコンに送信する（Ｓ１５０）。
【００８６】
（第５の実施形態）
第４の実施形態においては、ニュースインデックスデータベース（図１４）を、ニュースコンテンツに含まれる数値情報に応じて、そのニュースコンテンツをどのような値段レンジの広告に挿入すべきか判断しながら、予め作成しておくことを前提とした。しかし、ユーザが広告のＷｅｂページのアクセス要求をしたときに、都度判断しながら適切な数値情報を含むニュースコンテンツを見つけるようにしてもよい。本実施形態は、第３の実施形態同様、ユーザの反応実績を反映した効果の大きい数値情報を見つける技術を提供するものである。  
【００８７】
［全体図］
全体図については、第３の実施形態の全体図（図９）と同様であるので説明を省略する。
【００８８】
［インデックスデータベース］
図１６は、本実施形態におけるニュースインデックスデータベースを示す図である。ニュースインデックスデータベースは、挿入コンテンツデータベース６の１つである。数値とニュースＵＲＬの対応関係が保有されている。数値は、ニュースＵＲＬで特定されるニュースコンテンツに含まれる数値を意味する。例えば、ニュースコンテンツに「１０，０００人」等の数値情報が含まれている場合、数値は「１０，０００」である。
【００８９】
［ヒット率テーブル］
図１７は、挿入ニュースヒット率テーブルを示す図である。挿入広告ヒット率テーブル（図１２）と構造は同じであるが、１より比率が、１．１、１．２、１．３、・・・というように並んでいる。これは、ユーザがアクセス要求した広告のＷｅｂページに含まれる商品等の値段より大きい数値を含むニュースコンテンツを取得するために、最も効果のある「大きさの程度」を見つけるためである。使用方法については、挿入広告ヒット率テーブル（図１２）と同様であるので説明は省略する。
【００９０】
［広告のＷｅｂページの要求時の処理フロー］
図１８に基づいて広告のＷｅｂページの要求時の処理フローについて説明する。アンカリングナビゲーション広告サーバ１が、ユーザから広告のＷｅｂページの要求を受け取った後（Ｓ１１０）、広告インデックスデータベース（図１１）を検索して、広告の対象商品等の値段を取得する（Ｓ１２１）。
【００９１】
次に、取得した値段に基づき、挿入ニュースヒット率テーブル（図１７）に基づき今回適用する比率を求め、検索用の数値を決定する（Ｓ１２２）。そして、決定した比率の全体件数に１を加算する（Ｓ１２３）。すなわち、アンカリングナビゲーション広告サーバ１の制御装置３０は、挿入コンテンツ検索数値決定部５として機能する。
【００９２】
次に、決定した数値に基づき、ニュースインデックスデータベース（図１６）を参照して、ニュースＵＲＬを取得する（Ｓ１３１）。そして、取得したニュースＵＲＬを当該広告のＷｅｂページに挿入する（Ｓ１４０）。次に、ニュースＵＲＬが挿入された広告のＷｅｂページをユーザのパソコンに送信する（Ｓ１５０）。
【００９３】
次に、ユーザが自らアクセス要求した広告に係る商品等の購入プロセスに進んだときは、挿入ニュースヒット率テーブル（図１７）の当該比率のヒット件数に１を加算し、絶対ヒット率及び相対ヒット率を計算する。そしてその結果を挿入ニュースヒット率テーブル（図１７）に記録する（Ｓ１６０）。すなわち、アンカリングナビゲーション広告サーバ１の制御装置３０と記憶装置４１は、操作結果記録部１０として機能する。
【００９４】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００９５】
【図１】本発明の第１の実施形態に係るアンカリングナビゲーション広告サーバ１の機能構成を示す図である。
【図２】本発明の第１の実施形態に係るアンカリングナビゲーション広告サーバ１のハードウェア構成を示す図である。
【図３】本発明の第１の実施形態に係る数値インデックスデータベースを示す図である。
【図４】本発明の第１の実施形態に係る広告インデックスデータベースを示す図である。
【図５】本発明の第１の実施形態に係るＷｅｂページの要求時の処理フローを示す図である。
【図６】本発明の第２の実施形態に係る値段インデックスデータベースを示す図である。
【図７】本発明の第２の実施形態に係る関連ジャンルテーブルを示す図である。
【図８】本発明の第２の実施形態に係るＷｅｂページの要求時の処理フローを示す図である。
【図９】本発明の第３の実施形態に係るアンカリングナビゲーション広告サーバ１の機能構成を示す図である。
【図１０】本発明の第３の実施形態に係る数値インデックスデータベースを示す図である。
【図１１】本発明の第３の実施形態に係る広告インデックスデータベースを示す図である。
【図１２】本発明の第３の実施形態に係る挿入広告ヒット率テーブルを示す図である。
【図１３】本発明の第３の実施形態に係るＷｅｂページの要求時の処理フローを示す図である。
【図１４】本発明の第４の実施形態に係るニュースインデックスデータベースを示す図である。
【図１５】本発明の第４の実施形態に係るＷｅｂページの要求時の処理フローを示す図である。
【図１６】本発明の第５の実施形態に係るニュースインデックスデータベースを示す図である。
【図１７】本発明の第５の実施形態に係る挿入ニュースヒット率テーブルを示す図である。
【図１８】本発明の第５の実施形態に係るＷｅｂページの要求時の処理フローを示す図である。
【符号の説明】
【００９６】
１    アンカリングナビゲーション広告サーバ
２    Ｗｅｂページアクセス要求受信部
３    Ｗｅｂページ数値対応データベース
４    数値情報取得部
５    挿入コンテンツ検索数値決定部
６    挿入コンテンツデータベース
７    挿入コンテンツ取得部
８    Ｗｅｂページコンテンツ挿入部
９    コンテンツ送信部
１０  操作結果記録部
２０  バスライン
３０  制御装置
３１、３２  ＣＰＵ（Ｃｅｎｔｒａｌ  Ｐｒｏｃｅｓｓｉｎｇ  Ｕｎｉｔ）
３３  通信Ｉ／Ｆ（Ｉ／Ｆ：インターフェイス）
３４  メインメモリ
３５  ＢＩＯＳ（Ｂａｓｉｃ  Ｉｎｐｕｔ  Ｏｕｔｐｕｔ  Ｓｙｓｔｅｍ）
３６  表示装置
３７  Ｉ／Ｏコントローラ
３８  入力装置
３９  ハードディスク
４０  半導体メモリ
４１  記憶装置
【図１】
0004758966.tif 000002
【図２】
0004758966.tif 000003
【図３】
0004758966.tif 000004
【図４】
0004758966.tif 000005
【図５】
0004758966.tif 000006
【図６】
0004758966.tif 000007
【図７】
0004758966.tif 000008
【図８】
0004758966.tif 000009
【図９】
0004758966.tif 000010
【図１０】
0004758966.tif 000011
【図１１】
0004758966.tif 000012
【図１２】
0004758966.tif 000013
【図１３】
0004758966.tif 000014
【図１４】
0004758966.tif 000015
【図１５】
0004758966.tif 000016
【図１６】
0004758966.tif 000017
【図１７】
0004758966.tif 000018
【図１８】
0004758966.tif 000019